(57)【要約】【課題】  画像復号化装置の処理効率を格段と向上させ得るようにする。【解決手段】  画像復号化装置１は、ＭＰＥＧ画像ストリームＰＳＴ１、ＰＳＴ２中の各ピクチャを順次復号化処理するデコーダ部５、２１を有しており、デコーダ制御部２０は、デコーダ部５、２１のＢピクチャを復号化処理する周期Ｐ１、Ｐ２が一致しているか否かを判断し、この結果、デコーダ部５、２１のＢピクチャを復号化処理する周期Ｐ１、Ｐ２が一致していると判断した場合、当該周期Ｐ１、Ｐ２が互いにずれるようにこれら２つのデコーダ部５、２１を制御するようにした。【選択図】        図１
2005080122.tif 000002
【特許請求の範囲】
【請求項１】
第１の符号化画像と、上記第１の符号化画像よりも復号化処理負荷が大きい第２の符号化画像とが含まれる動画像ストリーム信号を複数入力し、各動画像ストリーム信号を並行して復号化する画像復号化装置において、
上記複数の動画像ストリーム信号にそれぞれ対応し、上記動画像ストリーム信号の各符号化画像を順次復号化処理する、複数の復号化処理部と、
上記第２の符号化画像の復号化処理のタイミングが、上記複数の復号化処理部の間で一致しているか否かを判断する判断手段と、
上記第２の符号化画像の復号化処理のタイミングが、上記複数の復号化処理部の間で一致していると判断された場合に、当該タイミングが互いにずれるように上記複数の復号化処理部を制御する制御手段と
を具えることを特徴とする画像復号化装置。
【請求項２】
上記画像復号化装置は、上記第１の符号化画像と上記第２の符号化画像とを所定の順序で周期的に含む構成とされた動画像ストリーム信号を入力する
ことを特徴とする請求項１に記載の画像復号化装置。
【請求項３】
上記画像復号化装置は、双方向予測符号化画像を上記第２の符号化画像として含み、フレーム内符号化画像又はフレーム間順方向予測符号化画像を上記第１の符号化画像として含む、ＭＰＥＧ（Moving Picture Experts Group）画像ストリーム信号を上記動画像ストリーム信号として入力する
ことを特徴とする請求項２に記載の画像復号化装置。
【請求項４】
上記判断手段は、
上記複数の復号化処理部おいて上記第１の符号化画像が並行して復号化処理されていることを検出した場合に、上記第２の符号化画像の復号化処理のタイミングが当該複数の復号化処理部の間で一致していると判断する
ことを特徴とする請求項２に記載の画像復号化装置。
【請求項５】
上記制御手段は、
一の復号化処理部における上記第２の符号化画像の復号化処理のタイミングを遅延させて、上記第２の符号化画像の復号化処理のタイミングをずらす
ことを特徴とする請求項１に記載の画像復号化装置。
【請求項６】
第１の符号化画像と、上記第１の符号化画像よりも復号化処理負荷が大きい第２の符号化画像とが含まれる動画像ストリーム信号を複数入力し、各動画像ストリーム信号を並行して復号化する画像復号化方法において、
上記複数の動画像ストリーム信号にそれぞれ対応する複数の復号化処理部において、上記動画像ストリーム信号の各符号化画像を順次復号化処理する復号化処理ステップと、
上記第２の符号化画像の復号化処理のタイミングが、上記複数の復号化処理部の間で一致しているか否かを判断する判断ステップと、
上記第２の符号化画像の復号化処理のタイミングが、上記複数の復号化処理部の間で一致していると判断された場合に、当該タイミングが互いにずれるように上記複数の復号化処理部を制御する制御ステップと
を具えることを特徴とする画像復号化方法。
【請求項７】
第１の符号化画像と、上記第１の符号化画像よりも復号化処理負荷が大きい第２の符号化画像とが含まれる動画像ストリーム信号を複数入力し、各動画像ストリーム信号を並行して復号化する画像復号化装置に対し、
上記複数の動画像ストリーム信号にそれぞれ対応する複数の復号化処理部において、上記動画像ストリーム信号の各符号化画像を順次復号化処理する復号化処理ステップと、
上記第２の符号化画像の復号化処理のタイミングが、上記複数の復号化処理部の間で一致しているか否かを判断する判断ステップと、
上記第２の符号化画像の復号化処理のタイミングが、上記複数の復号化処理部の間で一致していると判断された場合に、当該タイミングが互いにずれるように上記複数の復号化処理部を制御する制御ステップと
を実行させるための画像復号化プログラム。
【発明の詳細な説明】
【技術分野】
【０００１】
本発明は画像復号化装置に関し、例えば、外部から同時に入力される複数のＭＰＥＧ（Moving Picture Experts Group）ストリームを並列的に復号化する場合に適用して好適なものである。
【背景技術】
【０００２】
従来、外部から同時に入力される複数のＭＰＥＧストリームを並列的に復号化し得るようになされた画像復号化装置が提案されている（例えば特許文献１）。
【特許文献１】特開２０００−１６５８５８公報
【発明の開示】
【発明が解決しようとする課題】
【０００３】
このような画像復号化装置の一例を図８に示す。この画像復号化装置は、２つの画像復号化ユニットＵＴ１及びＵＴ２を有しているので、外部から同時に入力される２つのＭＰＥＧストリームＳＴ１及びＳＴ２を並列的に復号化し得るようになされている。
【０００４】
ここで、画像復号化ユニットＵＴ１及びＵＴ２は同一構成であるため、画像復号化ユニットＵＴ１のみについて説明する。すなわち画像復号化ユニットＵＴ１において多重分離部２は、外部から入力されたＭＰＥＧストリームＳＴ１を解析して、ＰＣＲ（Program Clock Reference）データＤ１、ＰＴＳ（Presentation Time Stamp）データＤ２、及びＭＰＥＧ符号化された画像のストリーム（以下、これをＭＰＥＧ画像ストリームと呼ぶ）ＰＳＴ１等に分離した後、ＰＣＲデータＤ１及びＰＴＳデータＤ２をＰＣＲ復調部３及びＰＴＳ復調部４に対して入力すると共に、ＭＰＥＧ画像ストリームＰＳＴ１をデコーダ部５に対して入力する。
【０００５】
因みにこの場合のＭＰＥＧ画像ストリームＰＳＴ１においては、図９に示すように、Ｉピクチャ（Intra-Picture：フレーム内符号化画像）が出現した後にＢピクチャ（Bidirectionally Predictive-Picture：双方向予測符号化画像）が２つ連続して出現し、そしてＰピクチャ（Predictive-Picture：フレーム間順方向予測符号化画像）が出現した後にＢピクチャが２つ連続して出現し、この後Ｐピクチャが出現した後にＢピクチャが２つ連続して出現し、再びＩピクチャが出現する。このようにこのＭＰＥＧ画像ストリームＰＳＴ１においては、一定周期で２つのＢピクチャが出現し、この２つのＢピクチャが出現する合間に１つのＩピクチャ又はＰピクチャが出現するようになされている。
【０００６】
かかるデコーダ部５においては、例えば図１０に示すように、多重分離部２からのＭＰＥＧ画像ストリームＰＳＴ１が遅延メモリ部６に入力されるようになされており、この遅延メモリ部６は、当該入力されたＭＰＥＧ画像ストリームＰＳＴ１を一定量蓄積する。
【０００７】
可変長符号化部７は、遅延メモリ部６から供給されるＭＰＥＧ画像ストリームＰＳＴ１に対して可変長復号化処理を施し、得られた量子化データＤ３を逆量子化部８へ送出する。そして逆量子化部８は、この量子化データＤ３をマクロブロックごとに８画素×８ラインのブロック単位で逆量子化し、得られたＤＣＴ（Discrete Cosine Transform）係数データＤ４を逆ＤＣＴ変換部９へ送出する。
【０００８】
逆ＤＣＴ変換部９は、逆量子化部８からのＤＣＴ係数データＤ４に対して逆ＤＣＴ変換処理を施し、得られた画素データＤ５を加算部１０へ送出する。
【０００９】
このとき、可変長符号化部７からの動き補償コントロールデータＤ６に従って動作している動き補償予測部１１は、加算部１０でそのとき処理しているものがＩピクチャである場合、この加算部１０に対して何らデータを供給せず、加算部１０でそのとき処理しているものがＰピクチャである場合、ビデオメモリ１２にアクセスして過去のフレームに相当する画像データＤ７を読み出し、これに所定の演算処理を施して得られた演算データＤ８を加算部１０へ供給し、加算部１０でそのとき処理しているものがＢピクチャである場合、ビデオメモリ１２にアクセスして過去及び未来のフレームに相当する画像データＤ７を読み出し、これに所定の演算処理を施して得られた演算データＤ８を加算部１０へ供給する。
【００１０】
因みにこのビデオメモリ１２は、加算部１０から順次出力される復号化された画像データＤ７のうち、Ｉピクチャ及びＰピクチャに相当する画像データＤ７を保持するようになされている。またこのビデオメモリ１２は、このように画像データＤ７を保持するだけでなく、その他の処理（例えば、グラフィックスの描画処理や、符号化されたオーディオデータを復号化する処理等）の実行時にも利用される。
【００１１】
そして加算部１０は、そのとき処理しているものがＩピクチャである場合には、逆ＤＣＴ変換部９からの画素データＤ５を、復号化された画像データＤ７としてそのまま表示部（図示せず）等に出力するようになされており、これに対してそのとき処理しているものがＰピクチャ又はＢピクチャである場合には、逆ＤＣＴ変換部９からの画素データＤ５と動き補償予測部１１からの演算データＤ８とを加算処理することにより、復号化された画像データＤ７を得て、これを表示部等に出力するようになされている。
【００１２】
一方ＰＣＲ復調部３（図８）は、多重分離部２から約１００〔ms〕間隔で供給されるＰＣＲデータＤ１に対して所定の復調処理を施すことにより、エンコーダ側の基準クロックを表すＰＣＲ信号Ｓ１を得る。そして後段の比較部１５において、ＰＣＲ復調部３からのＰＣＲ信号Ｓ１とＳＴＣカウンタ部１６からの信号とを比較し、当該比較結果に基づいてＰＬＬ（Phase Locked Loop）部１７を制御する。これによりＳＴＣカウンタ部１６から、エンコーダ側の基準クロックと同期したシステムクロック信号Ｓ２が出力される。
【００１３】
一方ＰＴＳ復調部４は、多重分離部２から供給されるＰＴＳデータＤ２に基づいて、ＭＰＥＧ画像ストリームＰＳＴ１中の各ピクチャの表示タイミングが示されてなるＰＴＳ信号Ｓ３を取得する。そしてその後段の比較部１８は、ＰＴＳ復調部４からのＰＴＳ信号Ｓ３とＳＴＣカウンタ部１６からのシステムクロック信号Ｓ２とを比較し、この比較結果を比較結果信号Ｓ４として同期制御部１９に入力する。
【００１４】
同期制御部１９は、比較部１８からの比較結果信号Ｓ４に基づいて、ＭＰＥＧ画像ストリームＰＳＴ１における各ピクチャの復号化処理タイミングを指示するための指示信号Ｓ５を、デコーダ部５に対して送出する。デコーダ部５は、同期制御部１９からの指示信号Ｓ５に従って、ＭＰＥＧ画像ストリームＰＳＴ１中の各ピクチャに対する復号化処理を順次実行し、これにより適切なタイミングで復号化された画像データＤ７を順次出力する。
【００１５】
実際上、同期制御部１９から出力される指示信号Ｓ５は、図１０に示すように、デコーダ部５内の遅延メモリ部６に入力される。遅延メモリ部６はこの指示信号Ｓ５に応じて、後段の可変長復号化部７に供給すべきＭＰＥＧ画像ストリームＰＳＴ１の供給タイミングを調節するようになされている。
【００１６】
ところでこの画像復号化ユニットＵＴ１のデコーダ部５において、Ｂピクチャに対する復号化処理（以下、これをＢピクチャ復号化処理と適宜呼ぶ）が行われたとき、動き補償予測部１１は、ビデオメモリ１２から過去及び未来のフレームに相当する画像データＤ７を読み出さなければならない、すなわち２フレーム分の画像データＤ７を読み出さなければならない。
【００１７】
この結果デコード部５では、Ｂピクチャ復号化処理が行われると、ビデオメモリ１２に対するメモリアクセス量が著しく増大し、かくしてこのＢピクチャ復号化処理によってビデオメモリ１２がほぼ占有された状態となってしまう。
【００１８】
従ってこの画像復号化装置においては、例えば図１１に示すように、画像復号化ユニットＵＴ１によってＭＰＥＧ画像ストリームＰＳＴ１中のＢピクチャを復号化処理する周期Ｐ１と、画像復号化ユニットＵＴ２によってＭＰＥＧ画像ストリームＰＳＴ２中のＢピクチャを復号化処理する周期Ｐ２とが完全に一致してしまうと、画像復号化ユニットＵＴ１のビデオメモリ１２及び画像復号化ユニットＵＴ２のビデオメモリの両方が、同時にＢピクチャ復号化処理によって占有されてしまう時間Ｔ１（以下、これを同時占有時間と適宜呼ぶ）が長くなってしまう。
【００１９】
そしてかかる同時占有時間Ｔ１の長期化に伴って、画像復号化ユニットＵＴ１のビデオメモリ１２又は画像復号化ユニットＵＴ２のビデオメモリの何れかを利用する他の処理の待ち時間が長くなってしまい、この結果、画像復号化装置全体の処理効率が著しく低下してしまう問題があった。
【００２０】
本発明は以上の点を考慮してなされたもので、処理効率を格段と向上させ得る画像復号化装置を提案しようとするものである。
【課題を解決するための手段】
【００２１】
かかる課題を解決するために本発明においては、第１の符号化画像と、第１の符号化画像よりも復号化処理負荷が大きい第２の符号化画像とが含まれる動画像ストリーム信号を複数入力し、各動画像ストリーム信号を並行して復号化する画像復号化装置において、複数の動画像ストリーム信号にそれぞれ対応し、動画像ストリーム信号の各符号化画像を順次復号化処理する、複数の復号化処理部と、第２の符号化画像の復号化処理のタイミングが、複数の復号化処理部の間で一致しているか否かを判断する判断手段と、第２の符号化画像の復号化処理のタイミングが、複数の復号化処理部の間で一致していると判断された場合に、当該タイミングが互いにずれるように複数の復号化処理部を制御する制御手段とを設けるようにした。
【００２２】
また本発明においては、第１の符号化画像と、第１の符号化画像よりも復号化処理負荷が大きい第２の符号化画像とが含まれる動画像ストリーム信号を複数入力し、各動画像ストリーム信号を並行して復号化する画像復号化方法において、複数の動画像ストリーム信号にそれぞれ対応する複数の復号化処理部において、動画像ストリーム信号の各符号化画像を順次復号化処理する復号化処理ステップと、第２の符号化画像の復号化処理のタイミングが、複数の復号化処理部の間で一致しているか否かを判断する判断ステップと、第２の符号化画像の復号化処理のタイミングが、複数の復号化処理部の間で一致していると判断された場合に、当該タイミングが互いにずれるように複数の復号化処理部を制御する制御ステップとを設けるようにした。
【００２３】
さらに本発明においては、第１の符号化画像と、第１の符号化画像よりも復号化処理負荷が大きい第２の符号化画像とが含まれる動画像ストリーム信号を複数入力し、各動画像ストリーム信号を並行して復号化する画像復号化装置に対し実行させる画像複合化プログラムにおいて、複数の動画像ストリーム信号にそれぞれ対応する複数の復号化処理部において、動画像ストリーム信号の各符号化画像を順次復号化処理する復号化処理ステップと、第２の符号化画像の復号化処理のタイミングが、複数の復号化処理部の間で一致しているか否かを判断する判断ステップと、第２の符号化画像の復号化処理のタイミングが、複数の復号化処理部の間で一致していると判断された場合に、当該タイミングが互いにずれるように複数の復号化処理部を制御する制御ステップとを設けるようにした。
【００２４】
この結果、画像復号化装置のメモリが第２の符号化画像の復号化処理によって占有されてしまう時間を格段と短くすることができる。
【発明の効果】
【００２５】
本発明によれば、第１の符号化画像と、第１の符号化画像よりも復号化処理負荷が大きい第２の符号化画像とが含まれる動画像ストリーム信号を複数入力し、各動画像ストリーム信号を並行して復号化する画像復号化装置において、複数の動画像ストリーム信号にそれぞれ対応し、動画像ストリーム信号の各符号化画像を順次復号化処理する、複数の復号化処理部と、第２の符号化画像の復号化処理のタイミングが、複数の復号化処理部の間で一致しているか否かを判断する判断手段と、第２の符号化画像の復号化処理のタイミングが、複数の復号化処理部の間で一致していると判断された場合に、当該タイミングが互いにずれるように複数の復号化処理部を制御する制御手段とを設けるようにしたことにより、画像復号化装置のメモリが第２の符号化画像の復号化処理によって占有されてしまう時間を格段と短くすることができるので、画像復号化装置のメモリを利用する他の処理の待ち時間を短くすることができ、かくして画像復号化装置の処理効率を格段と向上させることができる。
【００２６】
また本発明によれば、第１の符号化画像と、第１の符号化画像よりも復号化処理負荷が大きい第２の符号化画像とが含まれる動画像ストリーム信号を複数入力し、各動画像ストリーム信号を並行して復号化する画像復号化方法において、複数の動画像ストリーム信号にそれぞれ対応する複数の復号化処理部において、動画像ストリーム信号の各符号化画像を順次復号化処理する復号化処理ステップと、第２の符号化画像の復号化処理のタイミングが、複数の復号化処理部の間で一致しているか否かを判断する判断ステップと、第２の符号化画像の復号化処理のタイミングが、複数の復号化処理部の間で一致していると判断された場合に、当該タイミングが互いにずれるように複数の復号化処理部を制御する制御ステップとを設けるようにしたことにより、画像復号化装置のメモリが第２の符号化画像の復号化処理によって占有されてしまう時間を格段と短くすることができるので、画像復号化装置のメモリを利用する他の処理の待ち時間を短くすることができ、かくして画像復号化装置の処理効率を格段と向上させることができる。
【００２７】
さらに本発明によれば、第１の符号化画像と、第１の符号化画像よりも復号化処理負荷が大きい第２の符号化画像とが含まれる動画像ストリーム信号を複数入力し、各動画像ストリーム信号を並行して復号化する画像復号化装置に対し実行させる画像複合化プログラムにおいて、複数の動画像ストリーム信号にそれぞれ対応する複数の復号化処理部において、動画像ストリーム信号の各符号化画像を順次復号化処理する復号化処理ステップと、第２の符号化画像の復号化処理のタイミングが、複数の復号化処理部の間で一致しているか否かを判断する判断ステップと、第２の符号化画像の復号化処理のタイミングが、複数の復号化処理部の間で一致していると判断された場合に、当該タイミングが互いにずれるように複数の復号化処理部を制御する制御ステップとを設けるようにしたことにより、画像復号化装置のメモリが第２の符号化画像の復号化処理によって占有されてしまう時間を格段と短くすることができるので、画像復号化装置のメモリを利用する他の処理の待ち時間を短くすることができ、かくして画像復号化装置の処理効率を格段と向上させることができる。
【発明を実施するための最良の形態】
【００２８】
以下図面について、本発明の一実施の形態を詳述する。
【００２９】
図８との対応部分に同一符号を付して示す図１において、１は全体として画像復号化装置を示し、外部から入力される２つのＭＰＥＧストリームＳＴ１及びＳＴ２のそれぞれを復号化するための画像復号化ユニットＵＴ１及びＵＴ２と、デコーダ制御部２０とを有している。
【００３０】
本実施の形態の場合、画像復号化ユニットＵＴ１及び画像復号化ユニットＵＴ２は同一構成である。従って、図２（図１０との対応部分に同一符号を付す）に示す画像復号化ユニットＵＴ１のデコーダ部５も、画像復号化ユニットＵＴ２のデコーダ部２１と同一構成である。
【００３１】
デコーダ制御部２０は、画像復号化ユニットＵＴ１のデコーダ部５から逐次出力されるピクチャ種別通知信号Ｓ１０に基づいて、このデコーダ部５でそのとき処理しているピクチャの種別を認識し得るようになされている。因みにこのピクチャ種別通知信号Ｓ１０は、図２に示すように、デコーダ部５内の可変長符号化部７から出力される。
【００３２】
同じくデコーダ制御部２０は、画像復号化ユニットＵＴ２のデコーダ部２１から逐次出力されるピクチャ種別通知信号Ｓ１１に基づいて、このデコーダ部２１でそのとき処理しているピクチャの種別も認識し得るようになされている。
【００３３】
またこの画像復号化装置１において、画像復号化ユニットＵＴ１の同期制御部１９は、ＭＰＥＧ画像ストリームＰＳＴ１における各ピクチャの復号化処理タイミングを指示する指示信号Ｓ５を、デコーダ制御部２０を介してデコーダ部５に入力するようになされている。また画像復号化ユニットＵＴ２の同期制御部２２も、ＭＰＥＧ画像ストリームＰＳＴ２における各ピクチャの復号化処理タイミングを指示する指示信号Ｓ１５を、デコーダ制御部２０を介してデコーダ部２１に入力するようになされている。
【００３４】
以上の構成においてデコーダ制御部２０は、例えば図３に示すように、現在時点ＰＴ１において、画像復号化ユニットＵＴ１のデコーダ部５で復号化処理しているピクチャの種別がＩピクチャであることを認識すると共に、画像復号化ユニットＵＴ２のデコーダ部２１で復号化処理しているピクチャの種別もＩピクチャであることを認識する。
【００３５】
このときデコーダ制御部２０は、このままでは図１１に示したように、画像復号化ユニットＵＴ１によってＭＰＥＧ画像ストリームＰＳＴ１中のＢピクチャを復号化処理する周期Ｐ１と、画像復号化ユニットＵＴ２によってＭＰＥＧ画像ストリームＰＳＴ２中のＢピクチャを復号化処理する周期Ｐ２とが、完全に一致する状態（以下、これを完全一致状態と呼ぶ）になってしまうと判断する。
【００３６】
このように完全一致状態になってしまうと判断したデコーダ制御部２０は、次の時点Ｔ２（図４）において、画像復号化ユニットＵＴ１の同期制御部１９から、Ｉピクチャに続くＢピクチャ（これを第１のＢピクチャと呼ぶ）を復号化処理するように指示する指示信号Ｓ５が供給されると、これをそのままデコーダ部５へ送出することにより、このデコーダ部５に対して第１のＢピクチャを復号化処理させる一方、画像復号化ユニットＵＴ２の同期制御部２２から、Ｉピクチャに続く第１のＢピクチャを復号化処理するように指示する指示信号Ｓ１５が供給されても、当該供給された指示信号Ｓ１５を遅延させることにより、これを画像復号化ユニットＵＴ２のデコーダ部２１へ送出せず、これにより、当該時点Ｔ２ではこのデコーダ部２１に対して第１のＢピクチャを復号化処理させない。
【００３７】
そしてデコーダ制御部２０は、第１のＢピクチャに続くＢピクチャ（これを第２のＢピクチャと呼ぶ）を復号化処理するように指示する指示信号Ｓ５を、画像復号化ユニットＵＴ１のデコーダ部５へ送出して、このデコーダ部５に第２のＢピクチャを復号化処理させたとき（図５に示す時点ＰＴ３）、遅延させていた指示信号Ｓ１５を画像復号化ユニットＵＴ２のデコーダ部２１へ送出して、このデコーダ部２１に第１のＢピクチャを復号化処理させる。
【００３８】
この結果、図６に示すように、画像復号化ユニットＵＴ１のデコーダ部５によってＭＰＥＧ画像ストリームＰＳＴ１中のＢピクチャを復号化処理する周期Ｐ１と、画像復号化ユニットＵＴ２のデコーダ部２１によってＭＰＥＧ画像ストリームＰＳＴ２中のＢピクチャを復号化処理する周期Ｐ２とが１フレーム分だけずれた状態となる。
【００３９】
このように、画像復号化ユニットＵＴ１のデコーダ部５におけるＢピクチャ復号化処理と画像復号化ユニットＵＴ２のデコーダ部２１におけるＢピクチャ復号化処理とを分散させて実行させるので、デコーダ部５内のビデオメモリ１２及びデコーダ部２１内のビデオメモリの両方が、同時にＢピクチャ復号化処理によって占有されてしまう時間Ｔ１を、従来よりも格段と短くすることができる。
【００４０】
以上の構成によれば、画像復号化装置１は、ＭＰＥＧ画像ストリームＰＳＴ１、ＰＳＴ２中の各ピクチャを順次復号化処理するデコーダ部５、２１を有しており、デコーダ制御部２０は、デコーダ部５、２１のＢピクチャを復号化処理する周期Ｐ１、Ｐ２が一致しているか否かを判断し、この結果、デコーダ部５、２１のＢピクチャを復号化処理する周期Ｐ１、Ｐ２が一致していると判断した場合、当該周期Ｐ１、Ｐ２が互いにずれるようにデコーダ部５、２１を制御するようにした。これにより、デコーダ部５におけるＢピクチャ復号化処理とデコーダ部２１におけるＢピクチャ復号化処理とを常に分散させて実行させることができるので、デコーダ部５内のビデオメモリ１２及びデコーダ部２１内のビデオメモリの両方が、同時にＢピクチャ復号化処理によって占有されてしまう時間Ｔ１を、従来よりも格段と短くすることができ、かくして画像復号化装置１全体の処理効率を格段と向上させることができる。
【００４１】
因みに本実施の形態におけるデコーダ制御部２０は、例えば図７（Ａ）に示すように、現在時点ＰＴ１Ｘにおいて、画像復号化ユニットＵＴ１のデコーダ部５で復号化処理しているピクチャの種別がＩピクチャであることを認識すると共に、画像復号化ユニットＵＴ２のデコーダ部２１で復号化処理しているピクチャの種別がＰピクチャであることを認識したときも、上述した完全一致状態になってしまうと判断するようになされている。さらにこのデコーダ制御部２０は、例えば図７（Ｂ）に示すように、画像復号化ユニットＵＴ１のデコーダ部５で復号化処理しているピクチャの種別がＰピクチャであることを認識すると共に、画像復号化ユニットＵＴ２のデコーダ部２１で復号化処理しているピクチャの種別がＩピクチャであることを認識したときも、完全一致状態になってしまうと判断するようになされている。
【００４２】
なお上述の実施の形態においては、図９に示したように、一定周期で２つのＢピクチャが出現し、当該２つのＢピクチャの合間に１つのＩピクチャ又はＰピクチャが出現するＭＰＥＧ画像ストリームＰＳＴ１及びＰＳＴ２を、デコーダ部５及び２１によって復号化する場合について述べたが、本発明はこれに限らず、一定周期でＢピクチャが出現するのであれば、この他種々のＧＯＰ（Group Of Pictures）構成でなるＭＰＥＧ画像ストリームを復号化するようにしても良い。
【００４３】
また上述の実施の形態においては、２つのＭＰＥＧ画像ストリームＰＳＴ１、ＰＳＴ２に対応して２つの画像復号化ユニットＵＴ１、ＵＴ２を設ける場合について述べたが、本発明はこれに限らず、３つ以上のＭＰＥＧ画像ストリームに対応して３つ以上の画像復号化ユニットを設けるようにしても良い。
【００４４】
さらに上述の実施の形態では、複数の動画像ストリーム信号にそれぞれ対応し、動画像ストリーム信号の各符号化画像を順次復号化処理する複数の復号化処理部として、デコーダ部５及びデコーダ部２１を適用する場合について述べたが、本発明はこれに限らずこの他種々の構成を適用するようにしても良い。
【００４５】
さらに上述の実施の形態では、第２の符号化画像の復号化処理のタイミングが、複数の復号化処理部の間で一致しているか否かを判断する判断手段として、また第２の符号化画像の復号化処理のタイミングが、複数の復号化処理部の間で一致していると判断された場合に、当該タイミングが互いにずれるように複数の復号化処理部を制御する制御手段として、デコーダ制御部２０を適用する場合について述べたが、本発明はこれに限らずこの他種々の構成を適用するようにしても良い。
【００４６】
さらに上述の実施の形態では、ＭＰＥＧ画像ストリームＰＳＴ１及びＰＳＴ２をハードウェアによって復号化処理する場合について述べたが、本発明はこれに限らず、適宜プログラムに従って処理する部分を設ける等、ソフトウェア的に実現するようにしても良い。
【産業上の利用可能性】
【００４７】
本発明は、テレビジョンやパーソナルビデオレコーダ、パーソナルコンピュータ等に適用することができる。
【図面の簡単な説明】
【００４８】
【図１】本実施の形態における画像復号化装置の構成を示すブロック図である。
【図２】デコーダ部の構成を示すブロック図である。
【図３】復号化処理の様子（１）を示す略線図である。
【図４】復号化処理の様子（２）を示す略線図である
【図５】復号化処理の様子（３）を示す略線図である
【図６】復号化処理の様子（４）を示す略線図である
【図７】他の完全一致状態の様子を示す略線図である。
【図８】従来の画像復号化装置の構成を示すブロック図である。
【図９】ＧＯＰ構成を示す略線図である。
【図１０】従来のデコーダ部の構成を示すブロック図である。
【図１１】復号化処理の様子（５）を示す略線図である。
【符号の説明】
【００４９】
１……画像復号化装置、５……デコーダ部、２０……デコーダ制御部。
【図１】
2005080122.tif 000003
【図２】
2005080122.tif 000004
【図３】
2005080122.tif 000005
【図４】
2005080122.tif 000006
【図５】
2005080122.tif 000007
【図６】
2005080122.tif 000008
【図７】
2005080122.tif 000009
【図８】
2005080122.tif 000010
【図９】
2005080122.tif 000011
【図１０】
2005080122.tif 000012
【図１１】
2005080122.tif 000013